(57)【要約】【課題】運転座席の後方位置で横方向に伸びるフレームを備えることにより、苗植付装置への苗の補給を容易に行わせる乗用型田植機を構成する。【解決手段】走行機体の運転座席３の後方に施肥装置の肥料ホッパー２１が配置され、この肥料ホッパー２１の上方を覆う位置に横フレームＦを配置した。肥料ホッパー２１の蓋体２１Ａは、開閉軸芯Ｘを中心にした揺動で開閉軌跡Ｓに沿って開閉自在に備えられている。横フレームＦは後側で横向きの揺動軸芯Ｐを中心にして前側を持ち上げるように揺動自在に支持されている。この揺動により、横フレームＦを蓋体２１Ａの開閉軌跡Ｓから離間させることを可能にしている。【選択図】図６
2014060961.tif 000002
【特許請求の範囲】
【請求項１】
圃場に苗を移植する苗植付装置を走行機体の後端位置に備え、圃場に肥料を供給する施肥装置を前記走行機体に備えると共に、
前記施肥装置が、運転座席の後方位置に備えたホッパーと、このホッパーに貯留された肥料を圃場面に送り出す繰出機構とを備えて構成され、
前記ホッパーの上方位置で、前記走行機体の横幅方向に伸びる横フレームを備え、この横フレームが、前記ホッパーの上部の蓋体の開閉軌跡から外れる位置に待避自在に支持されている乗用型田植機。
【請求項２】
前記横フレームが、前記苗植付装置の苗載台に補給する予備苗を載置する載置面を備えている請求項１記載の乗用型田植機。
【請求項３】
前記横フレームが、前記載置面の後側位置で横向き姿勢の揺動軸芯を中心にした揺動により、該横フレームの前側を上方に持ち上げる形態で揺動自在に支持されている請求項２記載の乗用型田植機。
【発明の詳細な説明】
【技術分野】
【０００１】
本発明は、乗用型田植機に関し、詳しくは、運転座席の後方位置に走行機体の横幅方向に伸びるフレームを備えている乗用型田植機の改良に関する。
【背景技術】
【０００２】
上記のように構成された乗用型田植機として特許文献１には、走行機体に運転座席を備え、この運転座席の後方位置に走行機体の横幅方向に伸びる予備苗載置用のフレーム（文献では苗台）を備えた構成が記載されている。
【０００３】
この特許文献１では、フレームが水平姿勢と、後端側を下げる傾斜姿勢とに切換自在に構成され、傾斜姿勢では苗植付装置（文献では植付部）の苗載台に対する苗の補給を容易に行えるように構成している。
【先行技術文献】
【特許文献】
【０００４】
【特許文献１】特開平０６−４６６２４号公報
【発明の概要】
【発明が解決しようとする課題】
【０００５】
走行機体の後端位置に苗植付装置を備えた乗用型田植機では、作業時に苗の補給を必要とするものであり、特許文献１に記載されるもののように、苗の補給を容易にするための苗台を運転座席の後方位置に配置するものも考えられていた。
【０００６】
この特許文献１に記載される構成では、苗補給を容易に行わせるものであるが、苗台を傾斜させる油圧シリンダを備えるため部品点数が増大し、構造が複雑化し、コストの上昇を招く点において改善の余地がある。
【０００７】
走行機体の前部位置に予備苗載台を備えた乗用型田植機において、予備苗載台から苗植付装置へ苗を補給する場合には、運転座席の作業者が予備苗載台から苗を取り出し、走行機体の後方へ移動させ、苗載台の上端から下方に滑らせる作業形態となる。また、苗植付装置に用いられるマット状苗は、軟弱であり、水分を含む重量物であるため、取り扱い性が良くなく、作業者が走行機体の後方に向かって作業する場合には、苗を一時的に載せることが可能な構成や、作業者の姿勢を維持するための手摺り等が要望されている。
【０００８】
このような理由から、運転座席の後方位置に横方向に伸びるフレームを備えることは有効となるが、このフレームは、特許文献１に記載されるように高い位置に備える必要はない。特に、施肥装置の肥料を貯留するホッパーが運転座席の後方位置に配置するものでは、このホッパーに対する肥料の補給を妨げないように構成する必要がある。
【０００９】
本発明の目的は、運転座席の後方位置で横方向に伸びるフレームを備えることにより、苗植付装置への苗の補給を容易に行わせる乗用型田植機を合理的に構成する点にある。
【課題を解決するための手段】
【００１０】
本発明の特徴は、圃場に苗を移植する苗植付装置を走行機体の後端位置に備え、圃場に肥料を供給する施肥装置を前記走行機体に備えると共に、前記施肥装置が、運転座席の後方位置に備えたホッパーと、このホッパーに貯留された肥料を圃場面に送り出す繰出機構とを備えて構成され、前記ホッパーの上方位置で、前記走行機体の横幅方向に伸びる横フレームを備え、この横フレームが、前記ホッパーの上部の蓋体の開閉軌跡から外れる位置に待避自在に支持されている点にある。
【００１１】
この構成によると、作業者が苗植付装置に予備苗を補給する際には、予備苗を一時的に横フレームの上面に載せ付けることが可能となり、作業者の負担を軽減する。また、作業者が走行機体の後方に向かう姿勢になる場合には、作業者が横フレームを握ることや、横フレームに体を接触させることで作業者の姿勢を安定させる。特に、ホッパーの上部の蓋体を開閉する際には、横フレームを蓋体の開閉軌跡から外れる位置に待避させることでホッパーへの肥料の補給を容易にすると共に、施肥装置のメンテナンスも容易にする。更に、この構成では、横フレームをホッパーの上面に近接する位置に配置することが可能となり、横フレームを高い位置に配置しなくて済み、横フレームの大型化も抑制できる。
従って、運転座席の後方位置で横方向に伸びるフレームの合理的な配置により、苗植付装置への苗の補給を容易に行わせ、作業性も良好となる乗用型田植機が構成された。
【００１２】
本発明は、前記横フレームが、前記苗植付装置の苗載台に補給する予備苗を載置する載置面を備えても良い。
【００１３】
これによると、横フレームの載置面に対して予備苗を載置することにより、作業者が予備苗から手を放した場合でも予備苗を安定的に支持することも可能となり、作業者の労働の負担を軽減し、苗補給を行い易くする。
【００１４】
本発明は、前記横フレームが、前記載置面の後側位置で横向き姿勢の揺動軸芯を中心にした揺動により、該横フレームの前側を上方に持ち上げる形態で揺動自在に支持されても良い。
【００１５】
これによると、横フレームが載置面の後側位置の横向き姿勢の揺動軸芯を中心にして前側を持ち上げる姿勢に設定できるので、ホッパーの上方空間のうち、運転座席の方向を大きく開放させ、ホッパーに対する肥料の供給を容易にし、施肥装置のメンテナンスも容易にする。
【図面の簡単な説明】
【００１６】
【図１】田植機の全体を示す側面図である。
【図２】田植機の全体を示す平面図である。
【図３】肥料ホッパーと横フレームとの位置関係を示す正面図である。
【図４】繰出機構と切換レバーとを示す側面図である。
【図５】繰出機構の内部構造を示す断面図である。
【図６】横フレームの配置を示す側面図である。
【図７】横フレームのプレート部等を示す斜視図である。
【発明を実施するための形態】
【００１７】
以下、本発明の実施形態を図面に基づいて説明する。
〔全体構成〕
図１、図２に示すように、左右一対の前車輪１と左右一対の後車輪２とを備えた走行機体Ａの中央に運転座席３を配置し、この走行機体Ａの後端にリンク機構Ｌを介して苗植付装置Ｂを昇降自在に連結して乗用型田植機が構成されている。
【００１８】
この乗用型田植機は、走行機体Ａの前部位置の両側部に予備苗載置ユニットＣを備え、圃場に肥料を供給する施肥装置Ｄを走行機体Ａの後部に備え、運転座席３の後方位置には走行機体Ａの横方向に伸びる横フレームＦを備えている。
【００１９】
走行機体Ａの前部のボンネット４にエンジンＥが収容され、このエンジンＥの下方にエンジンＥからの動力が伝えられるミッションケース５を備えている。走行機体Ａの下部には、ミッションケース５から左右の前車輪１と左右の後車輪２とに伝える走行駆動系を備えると共に、走行機体Ａの走行速度と同期した駆動力を、外部出力軸６を介して苗植付装置Ｂに伝える作業伝動系を備えている。
【００２０】
運転座席３の前方位置には、左右の前車輪１を操向操作（操舵）するステアリングホイール７を備え、このステアリングホイール７の左側部に主変速レバー８を備え、運転座席３の近傍には、苗植付装置Ｂの昇降とミッションケース５に内蔵した植付クラッチ（図示せず）の断続とを行う昇降レバー９を備えている。また、運転座席３の前方位置でステアリングホイール７の近傍にはメータパネル１０を備えている。
【００２１】
リンク機構Ｌは、複数のリンク部材１１を有すると共に、油圧式の昇降シリンダ１２を有しており、昇降シリンダ１２の伸縮作動により、このリンク機構Ｌが作動して苗植付装置Ｂを昇降させる。
【００２２】
苗植付装置Ｂは、複数の整地フロート１４と、マット状苗Ｗを載置する苗載台１５と、苗載台１５に載置されたマット状苗Ｗから苗を切り出して圃場面に植え付ける複数のロータリ式の植付機構１６とを備えている。
【００２３】
運転座席３の下方位置にステップ１８が形成されると共に、ボンネット４の左右の両側部にはステップ１８から走行機体Ａの前端位置に達する搭乗フロア１９が形成されている。また、運転座席３の左右位置で、後車輪２の上方位置には、後部フェンダー２０が形成され、ステップ１８の外方には補助ステップ１８Ａが形成されている。尚、ステップ１８と、補助ステップ１８Ａと、搭乗フロア１９と、後部フェンダー２０とは作業者が搭乗するため機体フレームＡｆに対して強固に支持されている。
【００２４】
予備苗載置ユニットＣは、縦向き姿勢の支柱状フレーム４１に対して、予備苗としてマット状苗を載置する複数の棚状の予備苗載台４２を備えて構成されている。構成は詳述しないが、この予備苗載置ユニットＣでは、複数の予備苗載台４２のうちの２つを取り外し、支柱状フレーム４１に固設された予備苗載台４２の前端と後端とに連結することで、３つの予備苗載台４２を前後方向に直線的に配置することも可能である。尚、予備苗載置ユニットＣの予備苗載台４２に載置されるものを予備苗と称しており、予備苗載台４２に載置する場合には、予備苗を育苗箱に収容した状態や、板状の苗すくい板に載置した状態で支持される。
【００２５】
〔施肥装置〕
施肥装置Ｄは、図１〜図５に示すように、運転座席３の後方に配備された透明樹脂製の肥料ホッパー２１と、肥料ホッパー２１に貯留された粒状の肥料を所定量ずつ繰り出す繰出機構２２と、繰出された肥料を風力で送るための電動ブロワ２３と、風力で肥料を送る施肥ホース２４と、この施肥ホース２４から肥料が供給される作溝器２５とを備えている。繰出機構２２と施肥ホース２４と作溝器と２５は、苗の植付条数と等しい数を備えており、作溝器２５は、苗植付装置Ｂの整地フロート１４に備えられている。
【００２６】
繰出機構２２の前部位置に走行機体Ａの横幅方向に沿って供給ダクト２６を配置し、繰出機構２２の後部位置に走行機体Ａの横幅方向に沿って回収ダクト２７を備えており、端部位置の繰出機構２２の側部に切換レバー２８を備えている。
【００２７】
繰出機構２２は、ロール軸２２Ａと一体回転する繰出ロール２２Ｂを備え、繰出ロール２２Ｂの外周に複数の凹部が形成されている。ロール軸２２Ａは、走行機体Ａの走行速度と同期して駆動回転し、肥料ホッパー２１の肥料を繰出ロール２２Ｂの外周の凹部に入り込ませた状態で回転することで、繰出機構２２の下部空間に肥料を下方に送り出す。
【００２８】
繰出機構２２の下部空間は施肥ホース２４に連通すると共に、供給ダクト２６に接続している。これにより、肥料を繰り出す際には、電動ブロワ２３からの空気を供給ダクト２６から繰出機構２２の下部空間に供給することで空気の風圧により肥料が施肥ホース２４の内部に送られ、作溝器２５に達する。
【００２９】
肥料ホッパー２１の下部には、肥料ホッパー２１に貯留されている肥料を回収ダクト２７に流し出すことが可能な排出シャッター２１Ｃが備えられている。切換レバー２８は、支軸部２８Ａを中心にして供給位置Ｓｕと、排出位置Ｅｘとに切換自在に構成され、この切換レバー２８を供給位置Ｓｕと排出位置Ｅｘに保持するように付勢力を作用させるトグルバネ２９を備えている。
【００３０】
この切換レバー２８と排出シャッター２１Ｃとが連係しており、供給位置Ｓｕに操作されることで排出シャッター２１Ｃは図５に実線で示す閉じ姿勢に設定され、排出位置Ｅｘに操作されることで排出シャッター２１Ｃは図５に二点鎖線で示す排出姿勢に設定される。また、この施肥装置Ｄでは、電動ブロワ２３の空気を回収ダクトに送る切換シャッター（図示せず）を備えており、この切換シャッターは、切換レバー２８を供給位置Ｓｕに操作することで閉じ姿勢を維持し、排出位置Ｅｘに操作することで開放姿勢に切り換わり、この開放姿勢を維持する。
【００３１】
従って、切換レバー２８を、供給位置Ｓｕに操作した場合には、排出シャッター２１Ｃと、切換シャッター（図示せず）とを閉じ姿勢に維持セットする。これにより、電動ブロワ２３からの空気を供給ダクト２６に供給し、繰出機構２２から繰り出された肥料を施肥ホース２４に送り出す作動を実現する。
【００３２】
これとは逆に、切換レバー２８を排出位置Ｅｘに操作した場合には、排出シャッター２１Ｃを開放し、切換シャッター（図示せず）を開放する。これにより、肥料ホッパー２１の肥料が回収ダクト２７に送り出され、この回収ダクト２７に電動ブロワ２３から供給される空気の風圧により肥料を回収ダクト２７に送り、この回収ダクト２７の端部から回収することが可能となる。尚、回収ダクト２７の端部には、回収した肥料を送り出す開口（図示せず）が形成され、この開口から肥料を回収袋等に回収できる。
【００３３】
この構成から苗植付け作業時には、走行機体Ａの走行に伴い複数の整地フロート１４が苗植え付け箇所の泥面を整地する一方、外部出力軸６から伝えられる駆動力により、苗載台１５が左右方向に一定ストロークで往復作動し、この往復作動時に苗載台１５のマット状苗Ｗの下端から植付機構１６が苗を所定量ずつ切り出して圃場に植え付ける植え付け作動が行われる。
【００３４】
また、この植付作動時に切換レバー２８を供給位置Ｓｕに操作して施肥装置Ｄを作動させることにより肥料ホッパー２１に貯留されている粒状の肥料が繰出機構２２で送り出され、電動ブロワ２３の風圧により施肥ホース２４から作溝器２５に送り出される。そして、作溝器２５が各条の植付け苗の横側近くに形成した施肥溝に肥料を送り込む形態で施肥が行われる。
【００３５】
特に、この施肥装置Ｄでは、切換レバー２８が排出位置Ｅｘにセットされていることを検出するレバーセンサＬＳ（図４を参照）を備え、このレバーセンサＬＳが検出状態にある場合には、運転座席３の前方のメータパネル１０の警報ランプ１０Ａを点灯させる警報装置を備えている。
【００３６】
尚、警報装置として、警報ランプ１０Ａを点灯させる構成の他に、警報音を発生させるアラームを作動させても良く、警報ランプ１０Ａとアラームとを同時に作動させても良い。また、警報ランプ１０Ａを点灯させるものでも、アラームを作動させるものでも、例えば、植付クラッチが入り操作された状態や、施肥装置Ｄを作動させるスイッチ類がＯＮ操作された状態でレバーセンサＬＳの検出信号を取得し、必要な場合には警報作動を行わせるように構成しても良い。
【００３７】
〔横フレーム〕
図１〜図３、図６、図７に示すように、横フレームＦは、走行機体Ａに下端が支持される左右の縦フレーム部３１と、左右の縦フレーム部３１を後方位置で連結する補強フレーム３２と、左右の縦フレーム部３１の上端に支持される横長姿勢のプレート部３３とで構成されている。
【００３８】
横フレームＦのプレート部３３は、肥料ホッパー２１の上方を覆う位置に配置され、走行機体Ａの機体横幅方向に伸びる平坦な形状で、横方向の外端位置が後部フェンダー２０の外端位置と略一致する寸法に形成されている。また、プレート部３３の上面には予備苗の載置が可能な載置面３３Ｓが形成されている。これによりプレート部３３の載置面３３Ｓに予備苗を一時的に載置し、この予備苗をプレート部３３の上面から苗載台１５に対して滑らせるように供給する作業を可能にしている。
【００３９】
また、肥料ホッパー２１の上部の開口部には後部のヒンジ２１Ｂにより開閉軸芯Ｘを中心に揺動開閉自在となる透明樹脂製の蓋体２１Ａを備えている。この蓋体２１Ａの揺動端の開閉軌跡Ｓから横フレームＦのプレート部３３が外れるように、プレート部３３が、後端側の横向き姿勢の揺動軸芯Ｐを中心にして前部を上方に持ち上げる形態での揺動を行えるように構成されている。
【００４０】
尚、この施肥装置Ｄでは、１つの肥料ホッパー２１の下端に繰出機構２２が接続する構成であるが、この繰出機構２２のケースの内部には２つの繰出ロール２２Ｂが内蔵され、夫々の繰出ロール２２Ｂで繰り出される肥料を異なる施肥ホース２４に送り出すように構成されている。従って、１つの肥料ホッパー２１には２条分の肥料が貯留される。
【００４１】
縦フレーム部３１は、パイプ材を逆Ｕ字状に成形することで前支柱３１Ａと、後支柱３１Ｂと、上部連結体３１Ｃとを一体的に形成した構造を有しており、前支柱３１Ａの下端を補助ステップ１８Ａの後端部に連結し、後支柱３１Ｂの下端を後部フェンダー２０の下面側に連結している。
【００４２】
補強フレーム３２は、後支柱３１Ｂ同士を連結する横長姿勢で、肥料ホッパー２１の後方に配置される。
【００４３】
プレート部３３は、左右の両端位置に配置される角パイプ材で成る端部フレーム３３Ａと、この端部フレーム３３Ａが連結する横長のループ状に成形した枠体３３Ｂと、枠体３３Ｂの前端位置と後端位置とを連結する複数の強度フレーム３３Ｄと、枠体３３Ｂ及び強度フレーム３３Ｄの上面に張設される透明樹脂で成るトッププレート３３Ｃとで構成されている。尚、トッププレート３３Ｃは金属板で構成しても良い。
【００４４】
左右の端部フレーム３３Ａの下面の後部に下方に突出する上部ブラケット３５を固設し、縦フレーム部３１の上部連結体３１Ｃに上方に突出する下部ブラケット３６を固設し、これらに対して横方向に貫通する揺動支軸３７を揺動軸芯Ｐと同軸芯上に備えることでヒンジが構成されている。
【００４５】
また、左右の端部フレーム３３Ａの下面の前部に下方に突出するバネ板製の一対のアーム３８Ａを有するホルダ３８を備えている。このホルダ３８は、プレート部３３が図６に実線で示す載置姿勢にある場合には一対のアーム３８Ａが縦フレーム部３１の上部連結体３１Ｃを弾性的に挟む込むことでプレート部３３を載置姿勢に維持する。そして、プレート部３３の前端部を上方に持ち上げる操作が行われた場合には、上部連結体３１Ｃからホルダ３８の一対のアーム３８Ａが分離して図６に二点鎖線で示す待避姿勢への揺動を可能にする。
【００４６】
従って、肥料ホッパー２１に肥料を補給する場合には、プレート部３３の前端位置を人為的に持ち上げる操作により、ホルダ３８が上部連結体３１Ｃから分離してプレート部３３が揺動する。これによりプレート部３３が肥料ホッパー２１の蓋体２１Ａの揺動端の開閉軌跡Ｓから外れ、蓋体２１Ａを大きく開放して肥料の補給が実現するのである。
【００４７】
〔実施形態の作用・効果〕
このように、作業時に苗植付装置Ｂの苗載台１５に予備苗を補給する場合には、作業者（運転者）が前部の予備苗載置ユニットＣから予備苗を取り出し、その予備苗を、走行機体Ａの後部位置の横フレームＦのトッププレート３３Ｃの上面に一時的に載置することが可能となる。また、一時的に載置した場合には予備苗の姿勢が安定することになり、この横フレームＦの上面から少し移動させることにより、予備苗を苗載台１５に供給することが可能となる。
【００４８】
作業時には、横フレームＦの縦フレーム部３１を作業者が握ることにより、姿勢を安定させる状態で作業を行え、作業者が運転座席３の後方に振り返った場合には、横フレームＦのプレート部３３の前端部を握ることや、前端部に体を接触させて姿勢を安定させる状態で作業を行える。
【００４９】
走行を停止した状態では、後部フェンダー２０の上面に作業者が立つ状態で苗載台１５に予備苗を補給することもある。このような作業形態で予備苗を補給する場合でも、横フレームＦが後部フェンダー２０の上部に全幅に亘って形成されているので、作業者が横フレームＦに体を接触させることや、横フレームＦのプレート部３３の端部を握ることにより姿勢を安定させることが可能となる。
【００５０】
横フレームＦを備えない構成では、予備苗を苗載台１５に供給する際に、予備苗を肥料ホッパー２１の上面に誤って接触させ肥料ホッパー２１の蓋体２１Ａを破損せることや、肥料ホッパー２１を汚すことも考えられるが、横フレームＦを備えることにより肥料ホッパー２１を保護することも可能となる。
【００５１】
横フレームＦのプレート部３３が載置姿勢にある場合には、肥料ホッパー２１の蓋体２１Ａの上方で近接して位置に配置されているため、雨が降る環境で作業を行う場合でも雨水が肥料ホッパー２１に対して降り掛かる不都合を解消して、肥料を湿らせることなく乾燥状態の肥料を用いた施肥を実現する。
【００５２】
特に、肥料ホッパー２１に肥料を補給する場合には、横フレームＦのプレート部３３の前側を上方に持ち上げて待避姿勢に切り換えることで、蓋体２１Ａの揺動端の開閉軌跡Ｓからプレート部３３が外れる位置に達するので、蓋体２１Ａを大きく開放して肥料の補給を行え、施肥装置Ｄのメンテナンスも容易に行える。
【００５３】
更に、施肥装置Ｄに備えた切換レバー２８が排出位置Ｅｘにセットされていることを検出するレバーセンサＬＳを備え、このレバーセンサＬＳの検出に基づいて警報ランプ１０Ａを点灯させる構成を備えているので、この切換レバー２８を排出位置Ｅｘにセットした状態で作業を開始する不都合を未然に回避できるものにしている。
【００５４】
〔別実施形態〕
本発明は、上記した実施形態以外に以下のように構成しても良い。
【００５５】
（ａ）横フレームＦのプレート部３３を、平行リンク機構等で上下変位自在に支持する。このように構成することにより、プレート部３３の姿勢を変化させずに上下に変位させ、肥料ホッパー２１の蓋体２１Ａの開閉軌跡Ｓからプレート部３３を外れる位置に待避させることが可能となる。
【００５６】
（ｂ）横フレームＦのプレート部３３を縦フレーム部３１に対して着脱自在に支持する。この構成でも、プレート部３３を蓋体２１Ａの開閉姿勢から外れる位置に待避させることが可能となり、肥料ホッパー２１への肥料の補給が容易に行え、施肥装置Ｄのメンテナンスも容易に行える。
【００５７】
（ｃ）横フレームＦとして、プレート部３３に作業者が握ることが可能なグリップを備える。これにより作業者は、グリップを握ることで姿勢を一層安定させることが可能となる。
【００５８】
（ｄ）肥料ホッパー２１の蓋体２１Ａの開閉構造として、例えば、一対の蓋体２１Ａを備え、肥料ホッパー２１の開口部の前後位置、又は、左右位置にヒンジ２１Ｂを介して開閉自在に支持することで、所謂、観音開き型となるように蓋体を構成する。これに関連して、単一の蓋体２１Ａを備える構成でもヒンジ２１Ｂを肥料ホッパー２１の開口の左右何れかに配置する。更に、蓋体２１Ａをヒンジ２１Ｂにより単純に揺動させる構成に代えて、例えば、前後方向への移動に伴って揺動も行うようにリンク機構を介して蓋体２１Ａを支持する。また、蓋体２１は、着脱自在により開閉する構成のものでも良く、スライド作動により開閉する構成のものでも良い。
【産業上の利用可能性】
【００５９】
本発明は、走行機体の後端部に肥料ホッパーが配置されている田植機に利用することができる。
【符号の説明】
【００６０】
３          運転座席
１５        苗載台
２１        ホッパー（肥料ホッパー）
２１Ａ      蓋体
２２        繰出機構
３３Ｓ      載置面
Ａ          走行機体
Ｂ          苗植付装置
Ｄ          施肥装置
Ｆ          横フレーム
Ｐ          揺動軸芯
Ｓ          開閉軌跡
【図１】
2014060961.tif 000003
【図２】
2014060961.tif 000004
【図３】
2014060961.tif 000005
【図４】
2014060961.tif 000006
【図５】
2014060961.tif 000007
【図６】
2014060961.tif 000008
【図７】
2014060961.tif 000009